(57)【要約】【課題】分離部材がカセット側に設置されている構成において、記録媒体給送時の記録媒体後端の跳ね音を効果的に低減する記録媒体収納カセット及びそれを備えた画像形成装置を提供する。【解決手段】記録媒体収納カセットは、ハウジングと、記録媒体積載板と、記録媒体規制部と、分離前搬送ガイドと、を有する。記録媒体規制部は、記録媒体幅方向中央部付近の最大高さ領域から、両端部に向かって緩やかに低くなる山形状に形成される立壁部と、立壁部の記録媒体幅方向中央部から給紙方向下流側に向かって斜め上向きに分離前搬送ガイドよりも上方に突出する分離前進入ガイドと、立壁部の記録媒体幅方向両端部から分離前搬送ガイドに連続する、記録媒体の給送方向に向かって上り勾配であり、且つ記録媒体の幅方向両端部に向かって下り勾配となる分離前進入ガイド斜面とを有する。【選択図】図３
2014210634.tif 000002
【特許請求の範囲】
【請求項１】
カセットベース及び該カセットベースの周縁部に立設される複数の側壁で構成され、シート状の記録媒体を収納するハウジングと、
該ハウジングに回動可能に設けられ記録媒体の積載量に応じて一端が昇降する記録媒体積載板と、
を備え、画像形成装置本体に対し着脱可能に装着される記録媒体収納カセットにおいて、
記録媒体の給送方向に対し前記カセットベースの下流側に設けられ、前記ハウジング内に収納される記録媒体が給送方向へ移動するのを規制する立壁部と、該立壁部の記録媒体幅方向中央部から給送方向下流側に向かって斜め上向きに突出する分離前進入ガイドと、前記立壁部の記録媒体幅方向両端部から前記分離前搬送ガイドに連続する分離前進入ガイド斜面と、を有する記録媒体規制部と、
該記録媒体規制部の下流側に連続して配置され、前記画像形成装置本体側に設けられた給送部材に接触して分離部を形成する分離部材が配置される分離前搬送ガイドと、が設けられ、
前記立壁部は、記録媒体幅方向の中央部付近の最大高さ領域から、両端部に向かって緩やかに低くなる山形状に形成され、前記分離前進入ガイドは、前記分離前搬送ガイドよりも上方に突出しており、前記分離前進入ガイド斜面は、記録媒体の給送方向に向かって上り勾配であり、且つ記録媒体の幅方向両端部に向かって下り勾配となるように形成されることを特徴とする記録媒体収納カセット。
【請求項２】
前記最大高さ領域は、前記記録媒体積載板に積載可能な最大量の記録媒体を積載したときの記録媒体の最大高さ以上であることを特徴とする請求項１に記載の記録媒体収納カセット。
【請求項３】
記録媒体幅方向における前記分離前進入ガイドの寸法は、前記分離部材の寸法よりも大きいことを特徴とする請求項１又は請求項２に記載の記録媒体収納カセット。
【請求項４】
前記分離前進入ガイド斜面の水平面に対する傾斜角が４５°以下であることを特徴とする請求項１乃至請求項３のいずれかに記載の記録媒体収納カセット。
【請求項５】
前記最大高さ領域は、前記ハウジング内に収納される最小幅の記録媒体の幅方向寸法よりも狭いことを特徴とする請求項１乃至請求項４のいずれかに記載の記録媒体収納カセット。
【請求項６】
請求項１乃至請求項５のいずれかに記載の記録媒体収納カセットを備えた画像形成装置。
【発明の詳細な説明】
【技術分野】
【０００１】
本発明は、デジタル複写機、レーザープリンタ等の画像形成装置に用いられる、シート状の記録媒体を収納する記録媒体収納カセット及びそれを備えた画像形成装置に関するものである。
【背景技術】
【０００２】
従来、シート状の用紙（記録媒体）を複数枚積層して収納するとともに、画像形成動作に応じて画像形成装置本体の画像形成部へ用紙を１枚ずつ分離して搬送する給紙カセットが広く用いられている。
【０００３】
従来の給紙カセットの構成について説明する。図６は、従来の給紙カセット１０２の側面断面図である。給紙カセット１０２のカセットベース２５にセットされた束状の用紙２６は、昇降機構（図示せず）によって上下に昇降する用紙積載板２８の上昇により、所定の圧力で画像形成装置本体側に設けられたピックアップローラー２９に押しつけられる。ここで画像形成装置のコピー開始ボタンがオンされると、ピックアップローラー２９及び給送ローラー対３０のフィードローラー３０ａが図中矢印方向に回転駆動される。
【０００４】
用紙積載板２８上にセットされた用紙２６は、ピックアップローラー２９によって最上面の１枚、或いは上段の複数枚が給送ローラー対３０に送られる。給送ローラー対３０は、フィードローラー３０ａ及びフィードローラー３０ａに圧接または離間するリタードローラー３０ｂから成り、リタードローラー３０ｂにはトルクリミッターが内蔵され、回転負荷が所定トルクを上回る場合のみフィードローラー３０ａと従動回転するようになっている。給送ローラー対３０に複数枚の用紙２６が送られた場合、リタードローラー３０ｂにより最上の１枚のみが分離されて用紙搬送路１１に向けて搬送される。カセットベース２５には、用紙２６の後端を揃える後端カーソル３１が用紙搬送方向（図６の左右方向）に移動可能に設けられている。
【０００５】
このような給紙カセット１０２から用紙を給送する際、用紙後端の跳ね音が発生するという問題がある。具体的には、用紙搬送路１１に向けて１枚の用紙２６が搬送されるとき、図７に示すように、搬送中の用紙２６の後端２６ａが搬送方向上流側のピックアップローラー２９と用紙積載板２８とのニップ部を通過した後、用紙２６の復元力で後端２６ａがカセットベース２５の給紙方向に位置する側壁２５ａの上端に打ち付けられて用紙搬送音（跳ね音）が発生する。
【０００６】
この跳ね音は一瞬に高い音が発生する、いわゆるインパルス応答であるためユーザーにとって非常に耳障りとなる。近年、騒音軽減の要求が高まっており、騒音要因の一つである用紙後端の跳ね音の対策が重要となっているが、特許文献１、２の方法では用紙後端の跳ね音を低減することはできなかった。
【０００７】
従来の対策としては、用紙後端が打ち付けられる場所に弾性体等のクッション性を有する部材を取り付けて跳ね音の軽減を図っていた。しかしながら、この方法では部材の追加による材料費、製造費のコストアップに繋がる上、取り付けた部材が用紙のジャム等の弊害を引き起こすおそれもあった。
【０００８】
そこで、特許文献１には、記録媒体の給送方向に立設される記録媒体規制部（カセット側ガイド部材）を、記録媒体の給送方向から見て頂点を有する山形状とした記録媒体収納カセットが開示されている。
【先行技術文献】
【特許文献】
【０００９】
【特許文献１】特開２０１２−９６８８９号公報
【発明の概要】
【発明が解決しようとする課題】
【００１０】
特許文献１に記載の構成では、フィードローラー（給送部材）とリタードローラー（分離部材）とで構成される給送ローラー対（分離部）が画像形成装置本体側に設けられている。この構成では、用紙積載板と分離部との間にカセット側ガイド部材と本体側ガイド部材の二つの部材が存在する。そのため、カセット側ガイド部材で発生する跳ね音を解消したとしても、本体側ガイド部材に用紙後端が打ち付けられて跳ね音が発生するおそれがあった。
【００１１】
そこで、分離部を構成する分離部材をカセット側に設けた給紙カセットが用いられている。この構成によれば、用紙積載板と分離部との間にカセット側ガイド部材のみが存在するため、特許文献１の構成に比べて跳ね音の発生が抑制される。しかしながら、カセット側ガイド部材に特許文献１の構成を採用したとしても、カセット側ガイド部材の山形状の頂点部と用紙後端との接触により発生する跳ね音を完全には解消しきれないという問題点があった。
【００１２】
本発明は、上記問題点に鑑み、分離部材がカセット側に設置されている構成において、記録媒体給送時の記録媒体後端の跳ね音を効果的に低減する記録媒体収納カセットを簡便且つ低コストで提供することを目的とする。
【課題を解決するための手段】
【００１３】
上記目的を達成するために本発明の第１の構成は、ハウジングと、記録媒体積載板と、記録媒体規制部と、分離前搬送ガイドと、を有し、画像形成装置本体に対し着脱可能に装着される記録媒体収納カセットである。ハウジングは、カセットベース及びカセットベースの周縁部に立設される複数の側壁で構成され、シート状の記録媒体を収納する。記録媒体積載板は、ハウジングに回動可能に設けられ記録媒体の積載量に応じて一端が昇降する。記録媒体規制部は、記録媒体の給送方向に対しカセットベースの下流側に設けられ、ハウジング内に収納される記録媒体が給送方向へ移動するのを規制する立壁部と、立壁部の記録媒体幅方向中央部から給紙方向下流側に向かって斜め上向きに突出する分離前進入ガイドと、立壁部の記録媒体幅方向両端部から分離前搬送ガイドに連続する分離前進入ガイド斜面とを有する。立壁部は、記録媒体幅方向中央部付近の最大高さ領域から、両端部に向かって緩やかに低くなる山形状に形成され、分離前進入ガイドは、分離前搬送ガイドよりも上方に突出する。分離前進入ガイド斜面は、記録媒体の給送方向に向かって上り勾配であり、且つ記録媒体の幅方向両端部に向かって下り勾配となるように形成される。分離前搬送ガイドは、記録媒体規制部の下流側に連続して配置され、画像形成装置本体側に設けられた給送部材に接触して分離部を形成する分離部材が配置される。
【発明の効果】
【００１４】
本発明の第１の構成によれば、記録媒体規制部を構成する立壁部を山形状に形成し、分離前進入ガイドを分離前搬送ガイドよりも上方に突出するように形成するとともに、立壁部の記録媒体幅方向両端部から分離前搬送ガイドに連続する分離前進入ガイド斜面を、記録媒体の給送方向に向かって上り勾配であり、且つ記録媒体の幅方向両端部に向かって下り勾配となるように形成することにより、分離前進入ガイドに支持されて下向きに撓みながら給送される記録媒体は、幅方向両端部と立壁部との衝突が回避され、さらに幅方向両端部が分離前進入ガイド斜面に沿って分離前搬送ガイドに受け渡される。従って、記録媒体の後端部と立壁部との衝突による跳ね音の発生を低減することができる。また、記録媒体の両端部が接触する位置に分離前進入ガイド斜面を形成することで記録媒体先端部の耳折れも抑制することができる。
【図面の簡単な説明】
【００１５】
【図１】本発明の給紙カセット２が搭載される画像形成装置１００の内部構成を示す概略断面図
【図２】本発明の一実施形態に係る給紙カセット２を給紙方向上流側から見た斜視図
【図３】本発明の一実施形態に係る給紙カセット２の、給紙方向下流側の端部周辺の部分拡大図
【図４】本発明の一実施形態に係る給紙カセット２の給紙方向下流側の端部周辺を給紙方向と直交する方向から見た部分断面図
【図５】給紙カセット２から用紙が給紙される状態を給紙方向上流側（図２の左手前側）から見た側面図
【図６】従来の給紙カセット１１０及び画像形成装置１００本体側の給送ローラー対周辺の構成を示す側面断面図
【図７】従来の給紙カセット１１０において、給紙される用紙の後端が給紙カセットの壁部を通過する様子を示す部分断面図
【発明を実施するための形態】
【００１６】
以下、図面を参照しながら本発明の実施形態を詳細に説明する。図１は、本発明の給紙カセット２が搭載される画像形成装置１００の内部構成を示す概略図であり、右側を画像形成装置１００の前方側として図示している。図１に示すように、画像形成装置１００（ここではモノクロプリンター）は、画像形成装置１００本体の下部に積載された用紙を収容する給紙カセット２が備えられている。この給紙カセット２の上方には、画像形成装置１００本体の前方から後方へ略水平に延び、更に上方へ延びて画像形成装置１００本体の上面に形成された排紙部３に至る用紙搬送路４が形成されており、この用紙搬送路４に沿って上流側から順に、ピックアップローラー２９、フィードローラー３０ａ、中間搬送ローラー７、レジストローラー対８、画像形成部９、定着装置１０及び排出ローラー対１１が配置されている。更に、画像形成装置１００内には、上記の各ローラー、画像形成部９、定着装置１０等の動作を制御する制御部（ＣＰＵ）１８が配置されている。
【００１７】
給紙カセット２には、用紙搬送方向後端部に設けられた回動支点によって、給紙カセット２に対して回動自在に支持された用紙積載板２８が備えられており、用紙積載板２８上に積載された用紙（記録媒体）２６がピックアップローラー２９に押圧されるようになっている。また、給紙カセット２の前方側には、フィードローラー３０ａと、フィードローラー３０ａに圧接するように配設されたリタードローラー３０ｂから成る給送ローラー対３０が設けられており、ピックアップローラー２９によって複数枚の用紙２６が同時に給装された場合には、これらフィードローラー３０ａとリタードローラー３０ｂとによって用紙が捌かれ、最上位の１枚のみが搬送されるよう構成されている。
【００１８】
そして、フィードローラー３０ａとリタードローラー３０ｂとによって捌かれた用紙２６は、中間搬送ローラー７によって搬送方向を装置後方へと変えられてレジストローラー対８へと搬送され、レジストローラー対８によってタイミングを調整されて画像形成部９へと供給される。
【００１９】
画像形成部９は、電子写真プロセスによって用紙２６に所定のトナー像を形成するものであり、図１において時計回り方向に回転可能に軸支された像担持体である感光体ドラム１４と、この感光体ドラム１４の周囲に配置される帯電装置１５、現像装置１６、クリーニング装置１７、用紙搬送路４を挟んで感光体ドラム１４に対向するように配置される転写ローラー１８及び感光体ドラム１４の上方に配置される露光装置（ＬＳＵ）１９から構成されている。現像装置１６の上方には、現像装置１６へトナーを補給するトナーコンテナ２０が配置されている。
【００２０】
本実施形態では、感光体ドラム１４はアモルファスシリコン（ａ−Ｓｉ）感光体であり、アルミニウム等の導電性基板（筒体）上に、感光層としてａ−Ｓｉ系の光導電層を形成し、その上面にａ−Ｓｉ系のＳｉＣ、ＳｉＮ、ＳｉＯ、ＳｉＯＮ、ＳｉＣＮなどの無機絶縁体または無機半導体から成る表面保護層が積層されている。
【００２１】
パソコン等の上位装置から画像データが入力されると、先ず、帯電装置１５によって感光体ドラム１４の表面を一様に帯電させる。次いで、露光装置（ＬＳＵ）１９からのレーザービームにより感光体ドラム１４上に入力された画像データに基づく静電潜像が形成される。さらに、現像装置１６により静電潜像にトナーが付着されて感光体ドラム１４の表面にトナー像が形成される。感光体ドラム１４の表面に形成されたトナー像は、転写ローラー１８により感光体ドラム１４と転写ローラー１８とのニップ部（転写位置）に供給された用紙２６へと転写される。
【００２２】
トナー像が転写された用紙２６は、感光体ドラム１４から分離されて定着装置１０に向けて搬送される。この定着装置１０は、画像形成部９の用紙搬送方向の下流側に配置されており、画像形成部９においてトナー像が転写された用紙は、定着装置１０に備えられた加熱ローラー２２、及びこの加熱ローラー２２に圧接される加圧ローラー２３によって加熱、加圧され、用紙２６に転写されたトナー像が定着される。そして、画像形成部９及び定着装置１０において画像形成がなされた用紙２６は、排出ローラー対１１によって排紙部３に排出される。
【００２３】
転写後に感光体ドラム１４表面の残留トナーはクリーニング装置１７により除去され、感光体ドラム１４表面の残留電荷は除電装置（図示せず）により除電される。そして、感光体ドラム１４は帯電装置１５によって再び帯電され、以下同様にして画像形成が行われる。
【００２４】
次に、給紙カセット２の構成について説明する。図２は、給紙カセット２を画像形成装置１００本体から引き出した状態を示す斜視図である。図２において、画像形成装置１００本体に対する給紙カセット２の挿入方向を矢印Ａ、引き出し方向を矢印Ａ′で示し、給紙カセット２の給紙方向を矢印Ｂで示す。カセットベース２５は、給紙カセット２のハウジング（筐体）を構成するものであり、矩形状の底面の四辺に側壁２５ａ〜２５ｄが形成されたトレイ状をなしている。
【００２５】
給紙カセット２の挿入方向に対し下流側の側壁２５ａにはカセットカバー３３が装着されている。カセットカバー３３は、その表面側（図２の右奥側）が外部に露出して画像形成装置１００（図１参照）本体の外装面の一部を構成する。
【００２６】
用紙２６（図１参照）が積載される用紙積載板２８は、給紙方向上流側（図２の左手前側）左右の揺動軸２８ａを支点として、給紙方向下流側（図２の右奥側）の端部がコイルバネ（図示せず）によってカセットベース２５に対し上下に昇降可能に設けられている。また、用紙積載板２８の幅方向両側には、用紙積載板２８に積載される用紙２６の幅方向の位置決めを行う一対の幅合わせカーソル３７ａ、３７ｂが、カセットベース２５に形成された案内溝に沿ってそれぞれ用紙幅方向（図の矢印Ｂ方向と直交する方向）に往復移動可能に設けられている。また、用紙搬送路４（図１参照）に向けて用紙が矢印Ｂ方向に送出されるため、用紙２６の後端を揃える後端カーソル３１は、カセットベース２５に形成された案内溝に沿って給紙方向（図の矢印Ｂ方向）と平行に往復移動可能に設けられている。
【００２７】
この幅合わせカーソル３７ａ、３７ｂ、及び後端カーソル３１を、積載される用紙サイズに合わせて移動させることにより、用紙２６を給紙カセット２内の所定位置に収納する。
【００２８】
給紙カセット２の挿入または引き出し方向（矢印ＡＡ′方向）に対し平行な側壁２５ｂ、２５ｃの外側にはガイドレール４０が付設されている。画像形成装置１００本体側にはガイドレール４０を摺動可能に支持するレール支持部（図示せず）が設けられており、ガイドレール４０をレール支持部に沿って摺動させることで、給紙カセット２は画像形成装置１００本体に対し挿入及び引き出し可能となっている。
【００２９】
図３は、給紙カセット２の給紙方向下流側の端部周辺の部分拡大図であり、図４は、給紙カセット２の給紙方向下流側の端部周辺を給紙方向と直交する方向から見た部分断面図である。なお、図３では用紙積載板２８を取り外した状態を示している。
【００３０】
カセットベース２５の給紙方向下流側には、カセット側ガイド部材４１が設けられている。カセット側ガイド部材４１は、給紙カセット２内の用紙が給紙方向へ移動するのを規制する用紙規制部４２と、用紙規制部４２の給紙方向下流側に連続する分離前搬送ガイド４３とが一体形成された樹脂部材である。分離前搬送ガイド４３の用紙幅方向中央部にはリタードローラー３０ｂが配置されており、給紙カセット２を画像形成装置１００本体へ挿入したとき、画像形成装置１００本体側のフィードローラー３０ａと給紙カセット２側のリタードローラー３０ｂとが接触して給送ローラー対３０を形成する。
【００３１】
用紙規制部４２は、給紙方向から見て用紙幅方向の中央部付近が最も高く、用紙幅方向の両端部に向かって緩やかに低くなる山形状の立壁部４２ａと、立壁部４２ａの用紙幅方向中央部から給紙方向下流側に向かって分離前搬送ガイド４３よりも上方に突出する分離前進入ガイド４２ｂと、立壁部４２ａの用紙幅方向両端部から分離前搬送ガイド４３に連続する分離前進入ガイド斜面４２ｃとを有する。
【００３２】
分離前進入ガイド斜面４２ｃは、用紙２６の給送方向に向かって上り勾配であり、且つ、用紙２６の後端部が用紙載置板２８から離間した瞬間からの用紙２６の両端部２６ｂ（図５参照）の挙動に合わせた形状となっている。具体的には、用紙２６の後端部が用紙載置板２８から離間する際、用紙２６の両端部２６ｂは給送ローラー対３０にニップされていないため、用紙２６のコシ（復元力）によって下方向に揺動する。この両端部２６ｂの揺動量は幅方向両端に向かうにつれて大きくなるため、分離前進入ガイド斜面４２ｃは、用紙２６の幅方向両端部に向かって下り勾配となるように形成されている。
【００３３】
立壁部４２ａの最大高さｈは、用紙積載板２８に積載可能な最大量の用紙２６を積載したときの用紙２６の最大高さ以上に設計されており、用紙２６の給紙方向への移動を規制できるようになっている。また、分離前進入ガイド４２ｂの長手方向の寸法ｗ１は、リタードローラー３０ｂの外周面の軸方向長さｗ２よりも大きく設計されている。これにより、用紙２６の幅方向中央部をリタードローラー３０ｂの軸方向長さよりも広い範囲で支持することができ、フィードローラー３０ａとリタードローラー３０ｂから成る給送ローラー対３０のニップ部へ用紙２６を円滑に給送できるようになっている。分離前進入ガイド斜面４２ｃは、立壁部４２ａの最大高さｈからの落ち込みが始まる部分から両端部に向かって徐々に幅広となる平面視三角形状に形成されている。
【００３４】
次に、本発明の給紙カセット２を用いた給紙動作について説明する。画像形成装置１００のコピー開始ボタンがオンされると、用紙積載板２８が上昇し、用紙積載板２８にセットされた束状の用紙２６の上面が所定の圧力でピックアップローラー２９に押しつけられる。同時に、ピックアップローラー２９及び給送ローラー対３０のフィードローラー３０ａが回転を開始する。そして、ピックアップローラー２９及び給送ローラー対３０により束状の用紙２６の最上の１枚のみが分離されて用紙搬送路４（図１参照）に搬送される。
【００３５】
図５は、給紙カセット２から用紙２６が給紙される状態を給紙方向上流側（図２の左手前側）から見た側面図である。図５に示すように、用紙２６は用紙積載板２８（図４参照）の先端を通過した直後、用紙規制部４２の分離前進入ガイド４２ｂによって幅方向中央部が支持された状態で給紙方向に搬送される。その結果、用紙２６の幅方向の両端部２６ｂが下向きに撓むこととなるが、用紙規制部４２の立壁部４２ｂは用紙幅方向の両端部に向かって緩やかに低くなる山形状に形成されているため、用紙２６の両端部２６ｂと立壁部４２ａとの衝突を効果的に回避することができる。
【００３６】
ここで、立壁部４２ａの最大高さｈが連続する領域Ｒの幅方向寸法ｗ３は、給紙カセット２内に収納される最小サイズの用紙２６の幅方向寸法よりも狭くなっている。これにより、最小サイズの用紙２６を給送する際においても、下向きに撓んだ両端部２６ｂと立壁部２ａとの衝突を回避できる。なお、立壁部４２ａの上端が水平ではなく凹凸を有しており、最大高さｈが間隔を隔てて存在する場合は、最大高さｈよりも用紙２６の幅方向内側の領域が最小サイズの用紙２６の幅方向寸法よりも狭くなるように設定すれば良い。
【００３７】
また、立壁部４２ｂの両端部から分離前搬送ガイド４３に連続する分離前進入ガイド斜面４２ｃを形成することにより、用紙２６の両端部２６ｂは用紙積載板２８から離間した後、分離前搬送ガイド４３に一度に衝突せず、分離前進入ガイド斜面４２ｃに順次接触しながら分離前搬送ガイド４３に受け渡されるため、両端部２６ｂと分離前搬送ガイド４３との衝突による搬送音の発生や、両端部２６ｂの折れ曲がり（耳折れ）の発生を抑制することができる。なお、分離前進入ガイド斜面４２ｃの水平面に対する傾斜角が急角度であると、両端部２６ｂと接触する際の衝撃が大きくなって耳折れが発生するおそれがある。そのため、分離前進入ガイド斜面４２ｃの水平面に対する傾斜角は４５°以下であることが好ましい。
【００３８】
その他、本発明は上記実施形態に限定されず、本発明の趣旨を逸脱しない範囲で種々の変更が可能である。例えば上記実施形態においては、用紙規制部４２と分離前搬送ガイド４３とが一体形成されたカセット側ガイド部材４１を用いているが、用紙規制部４２と分離前搬送ガイド４３とを別部材としても良い。
【００３９】
また、上記実施形態では、フィードローラー３０ａに圧接される分離部材として、リタードローラー３０ｂを用いたが、これに限らず、例えば、平板状の分離パッドをフィードローラー３０ａに圧接させても良い。さらに、用紙規制部４２の立壁部４２ａ、分離前進入ガイド４２ｂ、分離前進入ガイド斜面４２ｃの形状や大きさについても上記実施形態に限定されるものではなく、給紙カセット２の仕様や用いられる用紙の種類に応じて適宜設定すれば良い。
【００４０】
また、本発明は図１に示したモノクロプリンターに限らず、モノクロ複合機、カラープリンターやカラー複合機、インクジェット方式の画像形成部を備えたカラー複合機やカラープリンター等、画像形成装置本体側の給送部材と共に分離部を形成する分離部材がカセット側に設置されている引き出し可能な給紙カセットを備えた他の画像形成装置にも適用可能である。
【産業上の利用可能性】
【００４１】
本発明は、シート状の記録媒体を収納する記録媒体収納カセットであって、画像形成装置本体側の給送部材と共に分離部を形成する分離部材がカセット側に設置されている記録媒体収納カセットに利用可能である。本発明の利用により、記録媒体の後端と記録媒体の給送方向に立設される記録媒体規制部との衝突を効果的に回避して跳ね音を低減可能な記録媒体収納カセットを簡易且つ低コストで提供可能となる。
【符号の説明】
【００４２】
１                画像形成装置
２                給紙カセット（記録媒体収納カセット）
２５              カセットベース（ハウジング）
２５ａ〜２５ｄ    側壁（ハウジング）
２６              用紙（記録媒体）
２８              用紙積載板（記録媒体積載板）
２８ａ            回動側端部
２９              ピックアップローラー
３０              給送ローラー対（分離部）
３０ａ            フィードローラー（給送部材）
３０ｂ            リタードローラー（分離部材）
３３              カセットカバー
４１              カセット側ガイド部材
４２              用紙規制部（記録媒体規制部）
４２ａ            立壁部
４２ｂ            分離前進入ガイド
４２ｃ            分離前進入ガイド斜面
４３              分離前搬送ガイド
１００            画像形成装置
【図１】
2014210634.tif 000003
【図６】
2014210634.tif 000004
【図７】
2014210634.tif 000005
【図２】
2014210634.tif 000006
【図３】
2014210634.tif 000007
【図４】
2014210634.tif 000008
【図５】
2014210634.tif 000009